(57)【特許請求の範囲】
【請求項１】
所定間隔を置いて起立する逆Ｕ字形を呈する複数の縦気柱の間に水平方向に連結する複数の横気柱を有する空気膨脹式骨格を形成すると共に前記骨格全体に天幕を一体に覆ってなる空気膨脹型簡易ハウスにおいて、前記縦気柱の長手方向と略同じ長さの帯状になり且つ両側縁にチャックの味方を設けた取手布の上面に電磁波遮断性能を有する金属被覆布から前記取手布の両縁を覆う広幅の帯状になり且つ裏面の両側縁付近に面ファスナーの味方を設けた連結部カバーとをＩビームを介して複数の各縦気柱の全長に亘って固着設置した取付具と、電磁波遮断性能を有する金属被覆布から縦気柱と縦気柱との間隔幅を有し且つ縦気柱の長手方向と略同じ長さ形状の帯状幕と、縦気柱の逆U字形に相当する形状の前面幕及び後面幕とに裁断し、各帯状幕、前面幕、後面幕の下縁を除く周縁にチャックの相方を設け且つ周縁付近に面ファッスナーの相方を設けると共にそれぞれの下縁には面ファスナーの相方を有する裾固定布を延長突設して形成した各帯状布、前面布、後面布を一組とする電磁波遮断幕と、電磁波遮断性能を備えた金属被覆布からなり上面周囲に面ファスナーの味方を有する起立布を設けて形成した上敷きシートからなることを特徴とする電磁波を遮断する空気膨脹型簡易ハウス。
【発明の詳細な説明】
【０００１】
本発明は、携帯電話やその他の電子機器から発生する電磁波が室内に入らないようにした電磁波を遮断する空気膨脹型簡易ハウスに関するものである。
【０００２】
【従来の技術】
従来、空気膨脹型簡易ハウスには種々のものがあるが、一般には、定間隔を置いて起立する逆Ｕ字形を呈する複数の縦気柱の間に水平方向に連結する複数の横気柱を設けて空気膨脹式骨格を形成すると共に前記骨格全体に天幕を一体に覆って形成され、空気を充填するだけで骨格が膨脹形成され、それに伴って天幕が展張するようにしたものが普通一般に提供されている。
【０００３】
このような空気膨脹型簡易ハウスは、使用現場で、迅速且つ容易に設営できることから、災害地や事故発生現場で負傷者を治療する応急仮設救護所として使用されている。
【０００４】
そして、応急仮設救護所として設営した空気膨脹型簡易ハウス内には、負傷者を治療するための多くの電子医療機器が持ち込まれ使用されている。
【０００５】
また、近年の災害地や事故現場では、携帯電話やその他の電子機器による多くの電磁波が乱れ飛んでいるのが実状である。そのために、応急仮設救護所として設営された空気膨脹型簡易ハウス内に持ち込まれた電子医療機器は、近傍で発生した電磁波による影響を受けて故障したり誤動作する等の医療行為に重大な障害を生じることから避けられなかった。
【０００６】
【発明が解決しようとする課題】
空気膨脹型簡易ハウス内に、外部からの電磁波が入らないように遮断するためには、電磁波遮断性能を備えた金属繊維を織り込んだ織布や、或いは、表面に電磁波遮断性能を備えた金属加工を施した金属被覆布から電磁波遮断幕を形成し、該電磁波遮断幕でハウス全体をスッポリ覆い、そして、該電磁波遮断幕の周縁を地中に埋没するか、又は、電磁波遮断幕を天幕と一体のものとして形成して、天幕の周縁を地中に埋没するか、若しくは天幕の周縁を地表に密着させれば、電磁波のハウス内への侵入を遮断する効果が得られることが考えられる。
【０００７】
空気膨脹型簡易ハウスは、緊急時に手作業で迅速に、搬送、設営、撤去、移動等が容易に行われるような軽量で、扱いが手軽に行える構造物でなければならない。そのためには、空気膨脹型簡易ハウスの床面積は精々２０ｍ２、重さは１００ｋｇに満たないものであることが必要である。
【０００８】
しかしながら、金属被覆布は、一般的に、重量が大きく、このような金属被覆布で、例えば、空気膨脹型簡易ハウス全体を覆うような電磁波遮断幕を作成した場合、該電磁波遮断幕をハウス全体に覆う作業を人手で実行するのは極めて困難で多数の人手が必要となり、とても緊急時の迅速な設営の道具とはいえないものとなる。
【０００９】
また、例えば、電磁波遮断幕を天幕と一体のものとして作成した場合、簡易ハウス全体の重量は極めて重くなり、重機の力を借りなければ、搬送、設営等の作業を人手で作業することは殆ど不可能となる。更に、簡易ハウスは頻々に折り畳むので、天幕と一体に形成すると、金属被覆布が損耗、損傷して電磁波遮断効果を失うばかりでなく、寿命の短いものになる等の課題があった。
【００１０】
本発明は、上記の課題に鑑みてなされたものであって、その目的とするところは、電磁波遮断幕を複数部に分割形成し、これらの電磁波遮断幕を空気膨脹型簡易ハウスの内部に容易に着脱できるようにすると共に電磁波を完全に遮断し、しかも、空気膨脹型簡易ハウスのみならず電磁波遮断幕それ自体の搬送、設営、撤去及び移動をも、手作業で迅速に行えるようにした電磁波を遮断する空気膨脹型簡易ハウスを提供することにある。
【００１１】
【課題を解決するための手段】
上記の目的を達成するために、本発明に係る電磁波を遮断する空気膨脹型簡易ハウスは、所定間隔を置いて起立する逆Ｕ字形を呈する複数の縦気柱の間に水平方向に連結する複数の横気柱を有する空気膨脹式骨格を形成すると共に前記骨格全体に天幕を一体に覆ってなる空気膨脹型簡易ハウスにおいて、前記縦気柱の長手方向と略同じ長さの帯状になり且つ両側縁にチャックの味方を設けた取手布の上面に電磁波遮断性能を有する金属被覆布から前記取手布の両縁を覆う広幅の帯状になり且つ裏面の両側縁付近に面ファスナーの味方を設けた連結部カバーとをＩビームを介して複数の各縦気柱の全長に亘って固着設置した取付具と、電磁波遮断性能を有する金属被覆布から縦気柱と縦気柱との間隔幅を有し且つ縦気柱の長手方向と略同じ長さ形状の帯状幕と、縦気柱の逆U字形に相当する形状の前面幕及び後面幕とに裁断し、各帯状幕、前面幕、後面幕の下縁を除く周縁にチャックの相方を設け且つ周縁付近に面ファッスナーの相方を設けると共にそれぞれの下縁には面ファスナーの相方を有する裾固定布を延長突設して形成した各帯状布、前面布、後面布を一組とする電磁波遮断幕と、電磁波遮断性能を備えた金属被覆布からなり上面周囲に面ファスナーの味方を有する起立布を設けて形成した上敷きシートからなる。
【００１２】
【発明の実施の形態】
本発明の実施の形態を図面を参照して説明すると、図１は天幕を一部切欠して示す本発明に係る空気膨脹型簡易ハウスの斜視図、図２は天幕を一部切欠して示す空気膨脹型簡易ハウスの側面図、図３は図２のＡ−Ａ線断面図で、ハウスＨは、熱可塑性ポリウレタン積層布を材料として、左右の支柱部１ａ及び天面部１ｂを一連一体に有して逆Ｕ字形を呈する複数の縦気柱１を所定間隔を置いて複数本（図２では４本）を起立設置し、該複数の縦気柱１の支柱部１ａの間及び天面部１ｂの間にそれぞれ横気柱２を水平方向に連結設置した骨格を形成し、該骨格全体を覆って天幕３が設けられる。該天幕３は天面壁３ａ、左右の側面壁３ｂ、３ｂ、前面壁３ｃ及び後面壁３ｄを一体に有して形成され、前記縦気柱１の外側の表面に固着設置して、骨格と天幕３とを一体に形成される。前記天幕３の前面壁３ｃには出入口となる扉布４がスライドファスナー等の連結具５により巻き上げ自在に設けられ、前記左右の側面壁３ｂ、３ｂには採光及び通風を良くするためにスライドファスナー等の連結具６により巻き上げ自在に設けられている。
【００１３】
また、７はグランドシート、８は雨水等のハウス内への流入を堰き止めするための水切りゴムで、グランドシート７の上に前記縦気柱１の外側を一周して設置され、該水切りゴム８には前記天幕３の裾縁を面ファスナー（図示せず）で着脱自在に固定するようになっている。９は前面壁３ｃの下隅に設けた配線引き込み口である。１０は前記天幕３を縦気柱１に固着するＸビームを示す。
【００１４】
本発明において、図２及び図３に示すように、ハウスＨの内部の前後面、左右側面及び天面には、電磁波遮断性能を備えた金属被覆布からなる電磁波遮断幕１１が着脱自在に内張り設置される。前記電磁波遮断幕１１は、骨格を形成する縦気柱１の間隔幅を有し且つ縦気柱１の左右支柱部１ａと天面部１ｂの合計長さを有する形状の帯状幕１１ａと、縦気柱１の逆U字形に相当する形状の前面幕１１ｂ及び後面幕１１ｃとに裁断して形成され、これらの帯状幕１１ａ、前面幕１１ｂ、後面幕１１ｃとは、前記縦気柱１の内側表面に設置された取付具１２を介してハウスHに接続自在に取付け設置せしめられる。また、前記グランドシート７の上のハウスＨの内部の全面積には電磁波遮断性能を備えた金属被覆布からなる上敷きシート１３が設置せしめられる。
【００１５】
前記取付具１２は、図４に示すように、ゴム引布から帯状になり且つ両側縁にチャックの味方ｍ、ｍを設けて形成した取手布１４の上面に、電磁波遮断性能を有する金属被覆布から前記取手布１４の両縁を覆う広幅の帯状になり且つ裏面の両側縁に面ファスナーの味方Ｍ 、Ｍ を設けた連結部カバー１５を設け、前記取手布１４と連結部カバー１５とを、ゴム引布をテープ状に加工したＩビーム１６に縫着設置し、前記連結部カバー１５の両側縁の面ファスナーの味方Ｍ 、Ｍが連結カバー１５の両側に突出位置するように形成する。また、該取付具１２は前記縦気柱１の左右の支柱部１ａと天面部１ｂとの合計長さを有して形成され、図３に示すように、Ｉビーム１６を介して複数の夫々の縦気柱１の全長、即ち、左支柱部１ａから天面部１ｂと右支柱部１ａまでの全体長に亘って接着剤により固着設置する。
【００１６】
前記電磁波遮断幕１１を形成する帯状幕１１ａ、前面幕１１ｂ、後面幕１１ｃは、図５〜図７に示すように、夫々の下縁を除く縁部にチャックの相方ｆを設けると共に面ファスナーの相方Ｆを前記取付具１２の連結カバー１５の面ファスナーの味方Ｍと相対する位置に設けて形成される。そして、図８及びず９に示すように、前記帯状幕１１ａ、前面幕１１ｂ、後面幕１１ｃを各縦気柱１に設けられた取付具１２に互いのチャックの味方ｍと相方ｆを結合することにより、ハウスＨの内面に前記電磁波遮断幕１１が内張り設置される。また、面ファスナーの味方Ｍと相方Ｆを結合することにより、チャックｍとｆとの結合部は連結部カバー１５により完全に遮蔽されて電磁波のハウスＨ内への侵入が防止される。
【００１７】
前記上敷きシート１３の裏面周囲には、図１１に示すように、面ファスナの味方Ｍが縫着設置され、一方、グランドシート７には前記上敷きシート１３の面ファスナの味方Ｍと接合する面ファスナーの相方Ｆが逢着設置され、上敷きシート１３がずれ動きすることのないように着脱自在に固定設置される。
【００１８】
前記上敷きシート１３の上面周囲には、図１１に示すように、起立布１７が下端の台布１８によって固着設置され、前記起立布１７の両面を覆うって面ファスナーの味方Ｍが縫着設置されている。また、前記電磁波遮断幕１１の各帯状幕１１ａ、前面幕１１ｂ及び後面幕１１ｃの裾縁の内側にはそれぞれ裾固定布１９が縫着され、該裾固定布１９の一面に前記上敷きシート１３の起立布１７に備える面ファスナーの味方Ｍと接合する面ファスナーの相方Ｆが縫着設置されている。そして、裾固定布１９の面ファスナーの相方Ｆを起立布１７の面ファスナーの味方Ｍに接合することにより、電磁波遮断幕１１の裾が上敷きシート１３に固定され、電磁波遮断幕１１の裾部分から電磁波がハウスＨ内へ侵入することが完全に阻止されるようになっている。
【００１９】
前記電磁波遮断幕１１の前面幕１１ｂには、図１０に示すように、チャックの味方ｍとその相方ｆを備えて巻き上げ自在にした出入口２０が設けられ、電磁波遮断性能を有する金属布からなる帯状の連結部カバー２１の一方の側縁を本体側に縫着設置すると共に他方の側縁が出入口２０側へ延長させて面ファスナーの味方Ｍを縫着設置し、出入口２０には前記連結部カバー２１の面ファスナーの味方Ｍと接合する面ファスナーの相方Ｆを設けて形成し、出入口２０のチャックｍ、ｆ、が閉じた状態で面ファスナーＭ、Ｆを接合することによりチャックｍ、ｆを連結部カバー２１で遮蔽することにより出入口２０から電磁波がハウスＨ内への侵入が遮断される。
【００２０】
なお、前記前面幕１１ｂに出入口２０を設けることは必ずしも必要ではなく、例えば、帯状幕１１ａと天幕３の側面壁３ｂを巻き上げることにより出入口は確保されている。
【００２１】
前記電磁波遮断幕１１、即ち、帯状幕１１ａ、前面幕１１ｂ及び後面幕１１ｃは、ポリエステル繊維のリップストップ織布を基布として、その面に銅、ニッケルの金属膜を無電解した０．１ｍｍ厚の金属被覆布で、シールド特性［１００M／１ＧＨｚ （ｄＢ）］は９０／８０、表面抵抗（０ｈｍ／ｓｑ）は≦０．１のものを用いて折り畳みが容易な柔らかい素材になるのが好ましい。
【００２２】
また、前記上敷きシート１３はポリエステル繊維の平織布を基布として、その一面に、銅、ニッケルの金属膜を無電解メッキし、他面に塩化ビニルを積層した金属製被覆布で、厚みが０．２ｍｍ，シールド特性［１００Ｍ／１ＧＨＺ（ｄＢ）］は８０／７０、表面抵抗（０ｈｍ／ｓｑ）は≦０．１のものを用いるのが好ましい。
【００２３】
なお、前記上敷きシート１３は、電磁波遮断幕１１と同じ材料を用いても良いが、耐摩耗性と防水性をより一層向上させるには、厚さも重量も増すが、前記電磁波遮断幕１１の金属被覆布裏面に塩化ビニル樹脂をコーティングしたような積層布が好適材料である。
【００２４】
また、前記連結部カバー１５及び２１は、前記電磁波遮断幕１１と同じか若しくは上敷きシート１３と同じ材料で形成することができるが、電磁波遮断幕１１と同じ材料で形成する方が柔軟性があって好ましい。
【００２５】
前記電磁波遮断幕１１、上敷きシート１３及び連結部カバー１５，２１で覆われた膨脹型簡易ハウスは、金属被覆布の金属膜が０．１乃至１．０ミクロンの範囲で、１００キロヘルツから１０ギガヘルツ帯において、６０デシベル以上の電磁波遮断効果があることが確認でき、災害や事故現場の仮設簡易ハウスとして使用できることが判明した。
【００２６】
【発明の効果】
上記のような構成になる本発明の空気膨脹型簡易ハウスは、合成繊維の基布に０．１乃至１．０ミクロンの銅、ニッケルの金属膜を無電解メッキした金属被覆布を電磁波遮断幕として形成し、該電磁波遮断幕をハウスの骨格の気柱の長手方向に沿ってチャックで取り付けて、室内に電磁波を遮断するシェルターを形成するので、電磁波遮断幕は縦気柱の間に緊張した状態で設置され、気柱に外観上の歪みを与えることなく展張し得て、室内に電磁波遮断幕が垂れ下がることなく、室内での作業に支障を与えることがない。
【００２７】
また、電磁波遮断幕は勿論のこと，電磁波遮断幕同士の結合は全て電磁波遮断性能のある連結部カバーで被覆するので、連結部からの電磁波の侵入は完全に防止され、、しかも、地面に上敷きシートとして金属被覆布が敷設されているので、電磁波の反射波の侵入も防止できる。
【００２８】
更に、本発明の電磁波遮断幕は複数の部材に分割裁断して形成され、これら複数の部材は全てチャックと面ファスナで骨格内に着脱自在に取り付けるので、電磁波遮断幕の取付け、取外しにおける着脱作業は容易で、短時間でできるし、撤去する際には、電磁波遮断幕、上敷きシート、及び天幕を一体に備える骨格とを各々別個にして収納、搬送できるので、個々の重量を軽くすることが可能となり、しかも、電磁波遮断幕及び上敷きシートを折り畳みによる損傷、摩耗が極力防止できて、長期間の電磁波遮断性能を保持できる。
【００２９】
更にまた、本発明の膨脹型簡易ハウスは、電磁波を遮断するばかりでなく、電磁波遮断幕が骨格の内側に天幕を裏打ちした状態で展張されるので、天幕と電磁波遮断幕との間に生じた空間は、断熱、防音効果があり、それ故に、寒冷地や騒音のひどい場所での使用に好適である等の効果を奏する。
【図面の簡単な説明】
【図１】本発明に係る空気膨脹型簡易ハウスを天幕の一部を切欠して示す斜視図である。
【図２】本発明に係る空気膨脹型簡易ハウスを天幕の一部を切欠して示す側面図である。
【図３】図２のＡ―Ａ線断面図である。
【図４】電磁波遮断幕を取付ける取付具の斜視図である。
【図５】電磁波遮断幕を構成する帯幕の正面図である。
【図６】電磁波遮断幕を構成する前面幕の正面図である。
【図７】電磁波遮断幕を構成する後面幕の斜視図である。
【図８】図２のＢ−Ｂ線断面図である。
【図９】図３のＣ−Ｃ線断面図である。
【図１０】図３のＤ−Ｄ線断面図である。
【図１１】本発明の電磁波遮断幕の裾部の固定状態を示す要部拡大断面図である。
【符号の説明】
Ｈ      ハウス
ｍ      チャックの味方
ｆ      チャックの相方
Ｍ      面ファスナーの味方
Ｆ      面ファスナーの相方
１      縦気柱
１ａ    支柱部
１ｂ    天面部
２      横気柱
３      天幕
３ａ    天面壁
３ｂ    側面壁
３ｃ    前面壁
３ｄ    後面壁
４      扉布
５      連結具
６      連結具
７      グランドシート
８      水切りゴム
９      配線引き込み口
１０    Ｘビーム
１１    電磁波遮断幕
１１ａ  帯状幕
１１ｂ  前面幕
１１ｃ  後面幕
１２    取付具
１３    上敷きシート
１４    取手布
１５    連結部カバー
１６    Ｉビーム
１７    起立布
１８    台布
１９    裾固定布
２０    出入口
２１    連結部カバー
【図１】
0004045392.tif 000002
【図２】
0004045392.tif 000003
【図３】
0004045392.tif 000004
【図４】
0004045392.tif 000005
【図５】
0004045392.tif 000006
【図６】
0004045392.tif 000007
【図７】
0004045392.tif 000008
【図８】
0004045392.tif 000009
【図９】
0004045392.tif 000010
【図１０】
0004045392.tif 000011
【図１１】
0004045392.tif 000012